(57)【特許請求の範囲】
【請求項１】
フェムト基地局（Ｆｅｍｔｏｃｅｌｌ  ＢＳ）が周辺基地局リストを更新する方法において、
前記フェムト基地局において端末に対するスケジューリングを行わない不可時間に関する情報を含む第１の放送メッセージを放送する段階；
前記フェムト基地局において前記不可時間の間少なくとも一つの周辺基地局に対するスキャニングを行う段階；及び
前記フェムト基地局において前記スキャニングの結果によって前記周辺基地局リストを更新する段階を含む周辺基地局リスト更新方法。
【請求項２】
前記スキャニングを行う段階は、
前記少なくとも一つの周辺基地局のプリアンブルを受信する段階であることを特徴とする、請求項１に記載の周辺基地局リスト更新方法。
【請求項３】
前記不可時間に関する情報は、
前記不可時間が開始される時点を指示する不可開始時間（ＵＳＴ）フィールド、及び前記不可時間の区間を指示する不可時間区間（ＵＴＩ）フィールドを含む、請求項１に記載の周辺基地局リスト更新方法。
【請求項４】
前記の更新された周辺基地局リストを含む第２の放送メッセージを放送する段階をさらに含む、請求項１に記載の周辺基地局リスト更新方法。
【請求項５】
前記の更新された周辺基地局リストの情報のうち少なくとも一部を自己網構成（ＳＯＮ）サーバーに報告する段階をさらに含む、請求項４に記載の周辺基地局リスト更新方法。
【請求項６】
前記第１の放送メッセージは自己網構成公示（ＡＡＩ＿ＳＯＮ−ＡＤＶ）メッセージで、前記第２の放送メッセージは周辺基地局公示（ＡＡＩ＿ＮＢＲ−ＡＤＶ）メッセージであることを特徴とする、請求項４に記載の周辺基地局リスト更新方法。
【請求項７】
前記不可時間は、周辺フェムト基地局の低負荷周期（ＬＤＣ）と重ならないように設定されることを特徴とする、請求項１に記載の周辺基地局リスト更新方法。
【請求項８】
フェムト基地局において、
プロセッサ；及び
前記プロセッサの制御によって外部との間で無線信号を送受信するための無線通信（ＲＦ）モジュールを含み、
前記プロセッサは、
第１の放送メッセージを介して端末に対するスケジューリングを行わない不可時間に関する情報を放送し、前記不可時間の間前記無線通信モジュールを制御することによって少なくとも一つの周辺基地局に対するスキャニングを行い、前記スキャニングの結果によって前記周辺基地局リストを更新するように制御するフェムト基地局。
【請求項９】
前記プロセッサは、
前記少なくとも一つの周辺基地局のプリアンブルを受信する方法で前記スキャニングを行うように制御することを特徴とする、請求項８に記載のフェムト基地局。
【請求項１０】
前記不可時間に関する情報は、
前記不可時間が開始される時点を指示する不可開始時間（ＵＳＴ）フィールド、及び前記不可時間の区間を指示する不可時間区間（ＵＴＩ）フィールドを含む、請求項８に記載のフェムト基地局。
【請求項１１】
前記プロセッサは、
前記の更新された周辺基地局リストを含む第２の放送メッセージがさらに放送されるように制御することを特徴とする、請求項８に記載のフェムト基地局。
【請求項１２】
前記第１の放送メッセージは自己網構成公示（ＡＡＩ＿ＳＯＮ−ＡＤＶ）メッセージで、前記第２の放送メッセージは周辺基地局公示（ＡＡＩ＿ＮＢＲ−ＡＤＶ）メッセージであることを特徴とする、請求項１１に記載のフェムト基地局。
【請求項１３】
前記プロセッサは、
周辺フェムト基地局の低負荷周期（ＬＤＣ）と重ならないように前記不可時間を設定することを特徴とする、請求項８に記載のフェムト基地局。
【発明の詳細な説明】
【技術分野】
【０００１】
本発明は、広帯域無線接続システムに関するもので、より詳細には、フェムト基地局が効率的に周辺基地局に対するスキャニングを行い、周辺基地局リストを管理する方法に関するものである。
【背景技術】
【０００２】
以下では、フェムトセル（Ｆｅｍｔｏ  Ｃｅｌｌ）について簡略に説明する。
【０００３】
フェムトとは、１０〜１５の非常に小さい単位を示す。このような意味で、フェムトセルとは、超小型／低電力家庭／事務室用屋内基地局を意味する。フェムトセルは、ピコセル（ｐｉｃｏｃｅｌｌ）とも類似する意味で使用されるが、より進化された機能を有する意味で使用されている。フェムトセルは、広帯域ルーターに連結する小型セルラー基地局であって、既存の２Ｇシステムはもちろん、３Ｇシステムの音声及びデータをＤＳＬリンクなどを通して移動通信社のバックボーン網に連結することができる。
【０００４】
以下、このようなフェムトセルの長所について説明する。
【０００５】
最近、フェムトセルが３Ｇ普及を促進させ、屋内カバレッジを広げる起爆剤になり得るという調査報告書が発表されて注目を受けている。２０１１年まで、全世界のフェムトセル端末ユーザーが１億２００万人に増加する見込みで、基地局であるＡＰ（Ａｃｃｅｓｓ  Ｐｏｉｎｔ）の設置も３，２００万台に達すると予想される。ＡＢＩリサーチのスチュアート・カロウ首席アナリストは、「技術的な面でＷ−ＣＤＭＡ、ＨＳＤＰＡ、ＥＶＤＯなどの技術の屋内カバレッジ強化は、サービス提供において非常に重要な役割をする」とした。また、スチュアート・カロウは、「フェムトセルがＩＰネットワークを介してトラフィックをルーティングすることによって、ネットワーク品質と収容力が非常に強化されると同時に、各移動通信社がバックホール専用回線に投資するＯＰＥＸも減少し、戦略的及び経済的な観点でも大きな利益がある」とした。
【０００６】
フェムトセルは、セルカバレッジを強化することができ、音声サービスの品質を高めることができる。また、各移動通信社は、フェムトセルを通したデータサービスを提供することによって、加入者たちを完全に３Ｇに適応させることができると予想している。前記フェムトセルは、フェムト基地局（ＦＢＳ：Ｆｅｍｔｏ  Ｂａｓｅ  Ｓｔａｔｉｏｎ）又はフェムトＢＴＳ（Ｂａｓｅ  Ｔｒａｎｓｃｅｉｖｅｒ  Ｓｔａｔｉｏｎ）と呼ぶことができる。
【０００７】
整理すると、フェムトセルは次のような長所を有している。
【０００８】
１．セルカバレッジの増加
２．インフラ構築費用の減少
３．新しいサービスの提供
４．ＦＭＣ（Ｆｉｘｅｄ  Ｍｏｂｉｌｅ  Ｃｏｎｖｅｒｇｅｎｃｅ）の加速化
一つ以上のフェムトセルは、特定サービス別又は地域別にグルーピングされ、フェムトセルグループを構成することができる。例えば、特定端末のみに接続が許可されたフェムトセルグループを閉加入者グループ（ＣＳＧ：Ｃｌｏｓｅｄ  Ｓｕｂｓｃｒｉｂｅｒ  Ｇｒｏｕｐ、以下、「ＣＳＧ」という。）と称することができる。フェムト基地局（ＦＢＳ）は、端末のＣＳＧ識別子（ＣＳＧ  ＩＤ）を確認し、ＣＳＧに加入した端末のみに接続を許可することができる。
【０００９】
図１は、フェムト基地局（ＦＢＳ）を含むネットワーク構造の一例を示す図である。
【００１０】
フェムト基地局は、既存のネットワークに新しく追加される個体である。したがって、フェムト基地局を使用することによって、全体的なネットワーク構造には追加又は変更事項がある。フェムト基地局は、インターネットに直接接続し、基地局としての機能を行うことができる。したがって、フェムト基地局は、一般のマクロ基地局のほぼ全ての機能を行うことができる。また、フェムト基地局は、一般のマクロ基地局からデータを受け、これを端末に中継する役割を行うこともできる。
【００１１】
図１は、既存のネットワーク構造にフェムトネットワークゲートウェイ（ＦＮＧ：Ｆｅｍｔｏ  Ｎｅｔｗｏｒｋ  Ｇａｔｅｗａｙ）が追加された形態を示す。ＦＮＧは、接続サービスネットワーク（ＡＳＮ：Ａｃｃｅｓｓ  Ｓｅｒｖｉｃｅ  Ｎｅｔｗｏｒｋ）ゲートウェイ及び連結サービスネットワーク（ＣＳＮ：Ｃｏｎｎｅｃｔｉｖｉｔｙ  Ｓｅｒｖｉｃｅ  Ｎｅｔｗｏｒｋ）と通信を行うことができる。ＦＮＧは、ＡＳＮとの通信のためにＲｘインターフェースを用い、ＣＳＮとの通信のためにＲｙインターフェースを用いることができる。
【００１２】
フェムト基地局は、直接ＴＣＰ／ＩＰインターネット網に接続し、ＦＮＧを通してＣＳＮからサービスを受けることができる。フェムト基地局に接続されている端末は、認証、ＩＭＳ（ＩＰ  Ｍｕｌｔｉｍｅｄｉａ  Ｓｕｂｓｙｓｔｅｍ）などの機能のサービスをＦＮＧ又はＣＳＮから受けることができる。
【００１３】
フェムト基地局は、基地局とＲ１インターフェースを介して連結されている。これは、フェムト基地局がマクロ基地局のダウンリンク（ＤＬ：Ｄｏｗｎ  Ｌｉｎｋ）チャンネルを受信できることを示す。また、フェムト基地局は、マクロ基地局に制御信号を伝送することができる。
【００１４】
フェムト基地局が設置されると、フェムト基地局は、位置基盤の周辺基地局リスト（ｌｏｃａｔｉｏｎ  ｂａｓｅｄ  ｎｅｉｇｈｂｏｒ  ｌｉｓｔ）をコアネットワークから獲得することができる。しかし、このような周辺基地局リストは、フェムト基地局の位置情報に基づいて作られたため物理的距離が考慮されるだけで、周辺基地局との無線通信に影響を及ぼす障害物の有無又はチャンネル状態は考慮されていない。したがって、フェムト基地局がより効率的かつ正確に周辺基地局リストを管理できる方法が要求される。
【発明の概要】
【発明が解決しようとする課題】
【００１５】
本発明は、前記のような一般的な技術の問題を解決するためになされたもので、本発明の目的は、フェムト基地局の効率的な周辺基地局リスト管理方法を提供することにある。
【００１６】
本発明の他の目的は、フェムト基地局の効率的な周辺基地局のスキャニング遂行方法を提供することにある。
【００１７】
本発明で達成しようとする技術的課題は、以上言及した技術的課題に制限されるものでなく、言及していない他の技術的課題は、下記の記載から本発明の属する技術分野で通常の知識を有する者に明確に理解されるだろう。
【課題を解決するための手段】
【００１８】
前記の技術的課題を解決するために、本発明は、フェムト基地局の効率的な周辺基地局リスト管理方法を開示する。
【００１９】
本発明の一様態として、フェムト基地局（Ｆｅｍｔｏｃｅｌｌ  ＢＳ）が周辺基地局リストを更新する方法は、端末に対するスケジューリングを行わない不可時間に関する情報を含む第１の放送メッセージを放送する段階と、前記不可時間の間少なくとも一つの周辺基地局に対するスキャニングを行う段階と、前記スキャニングの結果によって前記周辺基地局リストを更新する段階とを含むことができる。
【００２０】
このとき、前記スキャニングを行う段階は、前記少なくとも一つの周辺基地局のプリアンブルを受信する段階であることが望ましい。
【００２１】
また、前記不可時間に関する情報は、前記不可時間が開始される時点を指示する不可開始時間（ＵＳＴ）フィールドと、前記不可時間の区間を指示する不可時間区間（ＵＴＩ）フィールドとを含むことができる。
【００２２】
また、前記の更新された周辺基地局リストを含む第２の放送メッセージを放送する段階をさらに含むことができる。
【００２３】
また、前記の更新された周辺基地局リストの情報のうち少なくとも一部を自己網構成（ＳＯＮ）サーバーに報告する段階をさらに含むことができる。
【００２４】
また、前記第１の放送メッセージは自己網構成公示（ＡＡＩ＿ＳＯＮ−ＡＤＶ）メッセージで、前記第２の放送メッセージは周辺基地局公示（ＡＡＩ＿ＮＢＲ−ＡＤＶ）メッセージであることが望ましい。
【００２５】
併せて、前記不可時間は、周辺フェムト基地局の低負荷周期（ＬＤＣ）と重ならないように設定されることが望ましい。
【００２６】
本発明の他の様態として、フェムト基地局は、プロセッサと、前記プロセッサの制御によって外部との間で無線信号を送受信するための無線通信（ＲＦ）モジュールとを含むことができる。ここで、前記プロセッサは、第１の放送メッセージを通して端末に対するスケジューリングを行わない不可時間に関する情報を放送し、前記不可時間の間前記無線通信モジュールを制御することによって少なくとも一つの周辺基地局に対するスキャニングを行い、前記スキャニングの結果によって前記周辺基地局リストを更新するように制御することができる。
【００２７】
このとき、前記プロセッサは、前記少なくとも一つの周辺基地局のプリアンブルを受信する方法で前記スキャニングを行うように制御することができる。
【００２８】
また、前記不可時間に関する情報は、前記不可時間が開始される時点を指示する不可開始時間（ＵＳＴ）フィールドと、前記不可時間の区間を指示する不可時間区間（ＵＴＩ）フィールドとを含むことができる。
【００２９】
また、前記プロセッサは、前記の更新された周辺基地局リストを含む第２の放送メッセージがさらに放送されるように制御することができる。
【００３０】
また、前記第１の放送メッセージは自己網構成公示（ＡＡＩ＿ＳＯＮ−ＡＤＶ）メッセージで、前記第２の放送メッセージは周辺基地局公示（ＡＡＩ＿ＮＢＲ−ＡＤＶ）メッセージであることが望ましい。
【００３１】
併せて、前記プロセッサは、周辺フェムト基地局の低負荷周期（ＬＤＣ）と重ならないように前記不可時間を設定することが望ましい。
本明細書は、例えば、以下の項目も提供する。
（項目１）
フェムト基地局（Ｆｅｍｔｏｃｅｌｌ  ＢＳ）が周辺基地局リストを更新する方法において、
端末に対するスケジューリングを行わない不可時間に関する情報を含む第１の放送メッセージを放送する段階；
前記不可時間の間少なくとも一つの周辺基地局に対するスキャニングを行う段階；及び
前記スキャニングの結果によって前記周辺基地局リストを更新する段階を含む周辺基地局リスト更新方法。
（項目２）
前記スキャニングを行う段階は、
前記少なくとも一つの周辺基地局のプリアンブルを受信する段階であることを特徴とする、項目１に記載の周辺基地局リスト更新方法。
（項目３）
前記不可時間に関する情報は、
前記不可時間が開始される時点を指示する不可開始時間（ＵＳＴ）フィールド、及び前記不可時間の区間を指示する不可時間区間（ＵＴＩ）フィールドを含む、項目１に記載の周辺基地局リスト更新方法。
（項目４）
前記の更新された周辺基地局リストを含む第２の放送メッセージを放送する段階をさらに含む、項目１に記載の周辺基地局リスト更新方法。
（項目５）
前記の更新された周辺基地局リストの情報のうち少なくとも一部を自己網構成（ＳＯＮ）サーバーに報告する段階をさらに含む、項目４に記載の周辺基地局リスト更新方法。
（項目６）
前記第１の放送メッセージは自己網構成公示（ＡＡＩ＿ＳＯＮ−ＡＤＶ）メッセージで、前記第２の放送メッセージは周辺基地局公示（ＡＡＩ＿ＮＢＲ−ＡＤＶ）メッセージであることを特徴とする、項目４に記載の周辺基地局リスト更新方法。
（項目７）
前記不可時間は、周辺フェムト基地局の低負荷周期（ＬＤＣ）と重ならないように設定されることを特徴とする、項目１に記載の周辺基地局リスト更新方法。
（項目８）
フェムト基地局において、
プロセッサ；及び
前記プロセッサの制御によって外部との間で無線信号を送受信するための無線通信（ＲＦ）モジュールを含み、
前記プロセッサは、
第１の放送メッセージを介して端末に対するスケジューリングを行わない不可時間に関する情報を放送し、前記不可時間の間前記無線通信モジュールを制御することによって少なくとも一つの周辺基地局に対するスキャニングを行い、前記スキャニングの結果によって前記周辺基地局リストを更新するように制御するフェムト基地局。
（項目９）
前記プロセッサは、
前記少なくとも一つの周辺基地局のプリアンブルを受信する方法で前記スキャニングを行うように制御することを特徴とする、項目８に記載のフェムト基地局。
（項目１０）
前記不可時間に関する情報は、
前記不可時間が開始される時点を指示する不可開始時間（ＵＳＴ）フィールド、及び前記不可時間の区間を指示する不可時間区間（ＵＴＩ）フィールドを含む、項目８に記載のフェムト基地局。
（項目１１）
前記プロセッサは、
前記の更新された周辺基地局リストを含む第２の放送メッセージがさらに放送されるように制御することを特徴とする、項目８に記載のフェムト基地局。
（項目１２）
前記第１の放送メッセージは自己網構成公示（ＡＡＩ＿ＳＯＮ−ＡＤＶ）メッセージで、前記第２の放送メッセージは周辺基地局公示（ＡＡＩ＿ＮＢＲ−ＡＤＶ）メッセージであることを特徴とする、項目１１に記載のフェムト基地局。
（項目１３）
前記プロセッサは、
周辺フェムト基地局の低負荷周期（ＬＤＣ）と重ならないように前記不可時間を設定することを特徴とする、項目８に記載のフェムト基地局。
【発明の効果】
【００３２】
本発明の各実施例によると、次のような効果がある。
【００３３】
第一に、本発明の各実施例を用いることによって、フェムトセルをサポートする無線接続システムでフェムト基地局が効率的に周辺基地局リストを管理することができる。
【００３４】
第二に、端末は、フェムト基地局のための不必要なスキャニングの遂行又はそれによるデータ伝送遅延を避けることができる。
【００３５】
本発明で得られる効果は、以上言及した各効果に制限されるものでなく、言及していない他の効果は、下記の記載から本発明の属する技術分野で通常の知識を有する者に明確に理解されるだろう。
【図面の簡単な説明】
【００３６】
【図１】フェムト基地局（ＦＢＳ）を含むネットワーク構造の一例を示す図である。
【図２】一般的なフェムト基地局が端末にスキャニング遂行を要請する手順の一例を示す図である。
【図３】本発明の一実施例に係るフェムト基地局の周辺基地局リスト更新手順の一例を示す図である。
【図４】本発明の一実施例に係るスキャニング区間設定の一例を示す図である。
【図５】本発明の一実施例に係るスキャニング区間設定の他の例を示す図である。
【図６】本発明の一実施例に係るスキャニング区間設定の更に他の例を示す図である。
【図７】本発明の他の実施例に係る周辺基地局リストから特定周辺基地局が削除される手順の一例を示す図である。
【図８】本発明の更に他の実施例として、送信端及び受信端構造の一例を示すブロック図である。
【発明を実施するための形態】
【００３７】
本発明は、無線接続システムに関するものである。以下、本発明の各実施例は、フェムト基地局の効率的な周辺基地局リスト管理方法を開示する。
【００３８】
以下の各実施例は、本発明の各構成要素と特徴を所定形態で結合したものである。各構成要素又は特徴は、別途の明示的な言及がない限り、選択的なものとして考慮することができる。各構成要素又は特徴は、他の構成要素や特徴と結合されない形態で実施可能である。また、一部の構成要素及び／又は特徴を結合して本発明の実施例を構成することもできる。本発明の各実施例で説明する各動作の順序は変更可能である。一つの実施例の一部の構成や特徴は、他の実施例に含ませたり、又は、他の実施例の対応する構成又は特徴に取り替えることができる。
【００３９】
図面を参照した説明では、本発明の要旨を不明確にするおそれがある手順又は段階などは記述しておらず、当業者の水準で理解可能な程度の手順又は段階も記述していない。
【００４０】
本明細書において、本発明の各実施例は、基地局と端末との間のデータ送受信関係を中心に説明した。ここで、基地局は、端末と直接的に通信を行うネットワークの終端ノードとしての意味がある。本文書で基地局によって行われると説明した特定動作は、場合によっては基地局の上位ノードによって行われることもある。
【００４１】
すなわち、基地局を含む多数のネットワークノードからなるネットワークで端末との通信のために行われる多様な動作は、基地局又は基地局以外の他のネットワークノードによって行うことができる。このとき、「基地局」は、固定局、Ｎｏｄｅ  Ｂ、ｅＮｏｄｅ  Ｂ（ｅＮＢ）、アクセスポイント、改善基地局（ＡＢＳ：Ａｄｖａｎｃｅｄ    Ｂａｓｅ  Ｓｔａｔｉｏｎ）などの用語に取り替えることができる。また、「移動端末（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、端末又は改善端末（ＡＭＳ：Ａｄｖａｎｃｅｄ    Ｍｏｂｉｌｅ  Ｓｔａｔｉｏｎ）などの用語に取り替えることができる。
【００４２】
また、送信端は、データ又は音声サービスを伝送するノードを意味し、受信端は、データ又は音声サービスを受信するノードを意味する。したがって、アップリンクでは、端末が送信端になり、基地局が受信端になり得る。これと同様に、ダウンリンクでは、端末が受信端になり、基地局が送信端になり得る。
【００４３】
一方、本発明の移動端末としては、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００４４】
本発明の各実施例は、多様な手段を通して具現することができる。例えば、本発明の各実施例は、ハードウェア、ファームウェア、ソフトウェア又はそれらの結合などによって具現することができる。
【００４５】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００４６】
ファームウェアやソフトウェアによる具現の場合、本発明の各実施例に係る方法は、以上説明した機能又は各動作を行うモジュール、手順又は関数などの形態で具現することができる。ソフトウェアコードは、メモリユニットに格納してプロセッサによって駆動することができる。前記メモリユニットは、前記プロセッサの内部又は外部に位置し、既に公知の多様な手段によって前記プロセッサとの間でデータを取り交わすことができる。
【００４７】
本発明の各実施例は、無線接続システムであるＩＥＥＥ  ８０２システム、３ＧＰＰシステム、３ＧＰＰ  ＬＴＥシステム及び３ＧＰＰ２システムのうち少なくとも一つに開示された標準文書によってサポートすることができる。すなわち、本発明の各実施例のうち本発明の技術的思想を明確に示すために説明していない各段階又は各部分は、前記各文書によってサポートすることができる。また、本文書で開示している全ての用語は、前記標準文書によって説明することができる。特に、本発明の各実施例は、ＩＥＥＥ  ８０２．１６システムの標準文書であるＰ８０２．１６−２００４、Ｐ８０２．１６ｅ−２００５及びＰ８０２．１６Ｒｅｖ２文書のうち一つ以上によってサポートすることができる。
【００４８】
以下の説明で使用する特定用語は、本発明の理解を促進するために提供されたものであり、このような特定用語の使用は、本発明の技術的思想を逸脱しない範囲で他の形態に変更可能である。
【００４９】
本発明に係るフェムト基地局は、全体のネットワーク、少なくとも一つのマクロ基地局（ＭＢＳ：Ｍａｃｒｏ  Ｂａｓｅ  Ｓｔａｔｉｏｎ）のカバレッジ領域、マクロセル又は少なくとも一つのページンググループに該当する領域内に存在し得る。
【００５０】
また、本明細書で言及する「周辺基地局リスト（ｎｅｉｇｈｂｏｒ  ｌｉｓｔ）」は、該当の基地局で直ぐハンドオーバーが可能な周辺基地局の集合を意味する。すなわち、１ホップ（ｈｏｐ）周辺基地局の集合になるものであり、これには、マクロ基地局（Ｍａｃｒｏ  ＢＳ）、中継局（Ｒｅｌａｙ  ｓｔａｔｉｏｎ）及びフェムト基地局（Ｆｅｍｔｏｃｅｌｌ  ＢＳ、以下、「ＦＢＳ」という。）を含ませることができる。
【００５１】
一般的なＩＥＥＥ  ８０２．１６ｍシステムでのフェムトセルネットワークトポロジー獲得
まず、受動的にフェムトセルネットワークトポロジー（ｆｅｍｔｏｃｅｌｌ  ｎｅｔｗｏｒｋ  ｔｏｐｏｌｏｇｙ）を獲得する一般的な方法を説明する。
【００５２】
マクロ基地局は、オーバーレイ網に従属されているフェムト基地局に関する各情報を周辺基地局公示（ＡＡＩ＿ＮＢＲ−ＡＤＶ）メッセージを通して各端末に放送し、各フェムト基地局は、自分の周辺に位置した周辺基地局リストを各端末に放送することができる。このとき、マクロ基地局がオーバーレイ網で放送する周辺基地局リストの内容は、フェムト基地局が放送する周辺基地局リストとは異なる。オーバーレイ網は、自分のカバレッジに属しているか、その周辺に位置した他の基地局に関する情報を周辺基地局リストに含ませるが、フェムト基地局は、これより小さい自分のカバレッジに属しているか、直ぐ周辺に位置した各基地局と、受信呼が存在する周辺基地局の情報を含ませるようになる。
【００５３】
次に、能動的にフェムトセルネットワークトポロジーを獲得する一般的な方法として、端末が先に自分を公示する信号を放送することによって、各フェムト基地局が端末の存在有無を把握し、端末に周辺基地局に対するスキャニング遂行を要請する方法がある。また、これと反対に、フェムト基地局が自分を公示する信号を放送することによって、各周辺端末がフェムトセルの存在有無を把握するようにし、追加的な動作（例えば、ハンドオーバー又はスキャニングなど）を行うようにすることができる。
【００５４】
フェムト基地局は、周辺基地局に関する情報を獲得して周辺基地局リストを管理するために、一般的に現在のネットワークトポロジーに関する情報をコアネットワーク又は端末に要請することができる。しかし、これら二つの方法には問題がある。
【００５５】
第一に、コアネットワークから各周辺基地局に関する情報を得る場合、フェムト基地局は、実質的に最適化された周辺基地局リストを受けられないおそれがある。すなわち、コアネットワークがフェムト基地局に提供する周辺基地局リストは、該当のフェムト基地局が提供した位置情報に基づいて作られるが、無線通信環境では、位置情報とチャンネル状態が比例又は反比例するという保障がない。すなわち、各基地局が近く位置していても、無線通信に影響を及ぼす障害物が中間に存在する場合、位置上では周辺基地局であるが、チャンネル状態では周辺基地局でないことがある。
【００５６】
第二に、端末に周辺基地局リストを要請（すなわち、フェムト基地局が自分の周辺基地局リストを管理するために端末にスキャニングを要請）する場合、端末の立場では損失があり得る。これを図２を参照して説明する。
【００５７】
図２は、一般的なフェムト基地局が端末にスキャニング遂行を要請する手順の一例を示す。
【００５８】
図２を参照すると、フェムト基地局（ＦＢＳ）は、周辺基地局リスト更新区間（Ｎｅｉｇｈｂｏｒ  Ｌｉｓｔ  Ｕｐｄａｔｅ  Ｉｎｔｅｒｖａｌ）で自分からサービスを受ける端末にスキャン応答（ＡＡＩ＿ＳＣＮ−ＲＰＳ）メッセージを通して自分が放送する周辺基地局公示メッセージに含まれた周辺基地局リストとは関係なく、周辺基地局に対するスキャニングを要請することができる（Ｓ２０１、Ｓ２０３）。
【００５９】
フェムト基地局は、スキャン応答メッセージに対する応答として、各端末からスキャン報告（ＡＡＩ＿ＳＣＮ−ＲＥＰ）メッセージを受信することができる（Ｓ２０２、Ｓ２０４）。
【００６０】
スキャン報告メッセージは、各端末のスキャニング遂行の結果、探知した周辺基地局の基地局識別子（ＢＳＩＤ）、及び受信信号強度指示子（ＲＳＳＩ：Ｒｅｃｅｉｖｅ  Ｓｉｇｎａｌ  Ｓｔｒｅｎｇｔｈ  Ｉｎｄｉｃａｔｏｒ）などを含むことができる。
【００６１】
フェムト基地局は、各端末が報告した情報に基づいて周辺基地局リストを更新することができる（Ｓ２０５）。
【００６２】
ところが、フェムト基地局のネットワークトポロジーは、マクロセルよりも高い変動性を有するので、このようなスキャニングを要請する作業が周期的に行われることが望ましい。したがって、フェムト基地局は、周期的に（又は必要によって）Ｓ２０１〜Ｓ２０５段階を繰り返すことができる（Ｓ２０６〜Ｓ２０９）。
【００６３】
結局、フェムト基地局内でサービスを受けている各端末は、周期的にフェムト基地局のために自分に利得のない消耗的なスキャニング作業を行ってレポートしなければならないという短所がある。周辺フェムト基地局が低負荷モードで動作している場合は、通常のスキャニングよりも多いオーバーヘッドが発生するおそれがあり、これは、データ交換において追加的な遅延を発生させるようになる。
【００６４】
第１の実施例
上述した非効率的な周辺基地局管理を避けるために、本発明の一実施例では、フェムト基地局が直接スキャニングを試み、自分の周辺の他の基地局（フェムト基地局）を探知することを提案する。
【００６５】
このために、フェムト基地局が現在アクティブ状態、すなわち、一般的な動作で各端末に正常なサービスを提供している状態である場合、自分の周辺の基地局をスキャニングするためには、フェムト基地局が今後スキャニングしようとする時点と区間を各端末に知らせなければならない。これは、フェムト基地局が周辺基地局に対するスキャニングを行う区間では、各端末にサービスを提供できないためである。以下、フェムト基地局が各端末に対するスケジューリングを中断し、周辺基地局に対するスキャニングを直接行う区間を「スキャニング区間（ＳＣＩ：ＳＣａｎｎｉｎｇ  Ｉｎｔｅｒｖａｌ）」又は「不可時間区間（ＵＴＩ：Ｕｎａｖａｉｌａｂｌｅ  Ｔｉｍｅ  Ｉｎｔｅｒｖａｌ）」と称する。その一方、スキャニングを行わずに各端末に正常なサービスを提供可能な区間を、以下では「一般区間（ｎｏｒｍａｌ  ｉｎｔｅｒｖａｌ）」と称する。
【００６６】
各端末は、このようなフェムト基地局の一般／スキャニング区間の情報に基づいて一般区間の間データ交換を行ったり、スキャニング区間の間他の基地局に対するスキャニング又はレンジングなどを行えるようにスケジューリングすることができる。
【００６７】
このとき、フェムト基地局が各端末にスキャニング区間を知らせるためには、媒体接続制御管理（ＭＡＣ  ｍａｎａｇｅｍｅｎｔ）メッセージを使用することができる。このようなＭＡＣメッセージは、端末にユニキャスト又は放送できるが、その一例として、自己網構成公示（Ａｄｖａｎｃｅｄ  Ａｉｒ  Ｉｎｔｅｒｆａｃｅ＿Ｓｅｌｆ  Ｏｒｇａｎｉｚｉｎｇ  Ｎｅｔｗｏｒｋ＿Ａｄｖｅｒｔｉｓｅｍｅｎｔ：ＡＡＩ＿ＳＯＮ−ＡＤＶ）メッセージを使用することができる。
【００６８】
下記の表１は、ＡＡＩ＿ＳＯＮ−ＡＤＶメッセージ形態の一例を示す。
【００６９】
【表１】
0005576479.tif 000002
表１を参照すると、ＡＡＩ＿ＳＯＮ−ＡＤＶメッセージには動作タイプ（Ａｃｔｉｏｎ  Ｔｙｐｅ）フィールドが含まれ、フェムト基地局が行う動作を指示することができる。本発明に係る周辺基地局のスキャニングには、本フィールドがスキャニング遂行を指示する値（すなわち、０ｂ１０）が設定されることが望ましい。
【００７０】
また、ＡＡＩ＿ＳＯＮ−ＡＤＶメッセージには不可時間区間（ＵＴＩ）フィールドが含まれ、各端末に対するスケジューリングが行われていない区間を各端末に知らせることができる。併せて、不可開始時間（ＵＳＴ）フィールドは、該当の不可区間が開始される時点を指示することができる。
【００７１】
以下では、上述したＡＡＩ＿ＳＯＮ−ＡＤＶメッセージを用いた周辺基地局リスト更新手順を図３を参照して説明する。
【００７２】
図３は、本発明の一実施例に係るフェムト基地局の周辺基地局リスト更新手順の一例を示す。
【００７３】
図３を参照すると、フェムト基地局は、周辺基地局リストを更新するために、スキャニングを行うためのスキャニング区間（ＵＴＩ）及びスキャニング区間の開始時点（ＵＳＴ）を指示する情報を含むＡＡＩ＿ＳＯＮ−ＡＤＶメッセージを放送することができる（Ｓ３０１）。
【００７４】
ＡＡＩ＿ＳＯＮ−ＡＤＶメッセージを受信した端末は、それに含まれた情報を通して該当のフェムト基地局のスキャニング区間及びその開始時点を知ることができ、該当区間の間フェムト基地局からのスケジューリングが行われないことを知ることができる。
【００７５】
スキャニング区間の開始時点（ＵＳＴ）が来ると、フェムト基地局は、周辺基地局のプリアンブル（Ａ−Ｐｒｅａｍｂｌｅ）を受信する方法でスキャニングを行うことができる（Ｓ３０２）。
【００７６】
スキャニングの結果によって、フェムト基地局は自分の周辺基地局リストを更新することができる（Ｓ３０３）。
【００７７】
また、フェムト基地局は、更新された周辺基地局リストの情報（例えば、ＢＳＩＤ、ＲＳＳＩなど）を自己網構成サーバー（ＳＯＮ  ｓｅｒｖｅｒ）に報告することもできる（Ｓ３０４）。
【００７８】
周辺基地局リストの更新を終了したフェムト基地局は、更新された周辺基地局リスト情報を含む周辺基地局公示（ＡＡＩ＿ＮＢＲ−ＡＤＶ）メッセージを放送することができる（Ｓ３０５）。
【００７９】
スキャニング区間の設定
一方、本実施例の他の様相によると、フェムト基地局がスキャニング区間を設定するにおいて、自分又は周辺フェムト基地局の低負荷モード周期（ＬＤＣ：Ｌｏｗ  Ｄｕｔｙ  Ｃｙｃｌｅ）を考慮することができる。以下では、本発明に係るフェムト基地局の低負荷モードについて説明する。
【００８０】
本発明に係るフェムト基地局は、一般的な動作モードの他に、電力を節約して周辺セルとの干渉を減少させるために低負荷モードに進入することができる。
【００８１】
低負荷モード動作は、可能区間（ＡＩ：ａｖａｉｌａｂｌｅ  ｉｎｔｅｒｖａｌ）と不可区間（ＵＡＩ：ｕｎａｖａｉｌａｂｌｅ  ｉｎｔｅｒｖａｌ）で構成することができ、各区間でフェムト基地局が行う役割は、次に示す通りである。
【００８２】
まず、可能区間を説明すると、フェムト基地局は、可能区間の間、ページング、システム情報伝送、レンジング又はデータトラフィック伝送のための無線インターフェースを活性化させることができる。すなわち、フェムト基地局は、可能区間の間、ダウンリンクで同期チャンネル及び／又はスーパーフレームヘッダー（ＳＦＨ）を各端末に伝送することができる。また、フェムト基地局は、既に設定されたアップリンク区間の間端末が伝送する接続試み、例えば、レンジングコード伝送の存在有無をモニターすることができる。
【００８３】
次に、不可区間を説明すると、フェムト基地局は、不可区間の間無線インターフェース上に伝送を行わない。これを通して、フェムト基地局は、同一周波数帯域を使用する周辺フェムト基地局又はマクロ基地局との干渉を緩和すると同時に、電力消耗も減少させることができる。また、フェムト基地局は、自分を含むマクロ基地局（ｏｖｅｒｌａｙ  Ｍａｃｒｏ  ＢＳ）との同期化を行ったり、周辺セルからの干渉を測定することもできる。
【００８４】
本明細書では、便宜上、一つの可能区間と一つの不可区間を共に低負荷周期と称する。
【００８５】
可能区間と不可区間のシーケンスは、低負荷モードパターン（ＬＤＭ  ｐａｔｔｅｒｎ：Ｌｏｗ  Ｄｕｔｙ  Ｍｏｄｅ  ｐａｔｔｅｒｎ、以下、「ＬＤＭパターン」と称する。）を形成することができる。このとき、一つの可能区間と一つの不可区間の繰り返しは、デフォルトＬＤＭパターンになり得る。フェムト基地局が低負荷モードに進入する場合、該当のフェムト基地局のデフォルトＬＤＭパターンを活性化できるが、フェムト基地局は、一つ又はそれ以上のデフォルトＬＤＭパターンを有することもできる。
【００８６】
各フェムト基地局は、最初に設置されるとき、コアネットワークに認証を通して基本的なネットワーク情報を設定するようになる。このとき、フェムト基地局が設置される地域に関する位置情報をフェムト基地局が知っているなら、コアネットワークを通して推定される自分の周辺基地局リストを初期に受信することができる。
【００８７】
このとき、本実施例の他の様相では、自分の周辺の各フェムト基地局のＬＤＣ（Ｌｏｗ  ｄｕｔｙ  ｃｙｃｌｅ）、ＬＤＭパターンなどの情報を共に受け、これに基づいて自分のスキャニング区間をこれらと重ならないように設定することを提案する。フェムト基地局がこのような情報をコアネットワークから受けられるという仮定下で、本実施例の他の様相に係るスキャニング区間の設定は、下記のように大きく三つの場合に区分することができる。
【００８８】
１）周辺の他のフェムト基地局が一つのデフォルトＬＤＭにしたがう場合
図４は、本発明の一実施例に係るスキャニング区間設定の一例を示す。
【００８９】
図４を参照すると、周辺に位置するフェムト基地局がいずれも同一のＬＤＭパターンで動作する場合、スキャニング区間は、周辺に位置するフェムト基地局が低負荷モードで動作する区間、特に不可区間（ＵＡＩ）と重ならないように設定することができる。これは、不可区間の間フェムト基地局が無線上に如何なる信号も伝送しないので、該当のフェムト基地局のプリアンブルを受信できないためである。
【００９０】
２）自分の低負荷周期（ＬＤＣ）を用いる場合
図５は、本発明の一実施例に係るスキャニング区間設定の他の一例を示す。
【００９１】
図５を参照すると、フェムト基地局は、低負荷モードで動作する間、不可区間（ＵＡＩ）の間に他の基地局に対するスキャニングを行うようにスキャニング区間を決定することができる。この場合、フェムト基地局は、自分の不可区間が他の周辺のフェムト基地局の低負荷周期（ＬＤＣ）、特に不可区間（ＵＡＩ）と重ならないように設定することが望ましい。この場合、スキャニングがＬＤＣの不可区間（ＵＡＩ）で行われるので、フェムト基地局は、別途に端末にスキャニング区間をＡＡＩ＿ＳＯＮ−ＡＤＶメッセージを通して知らせないこともある。
【００９２】
３）低負荷モード（ＬＤＭ）からアクティブモードに切り替える方法
図６は、本発明の一実施例に係るスキャニング区間設定の更に他の例を示す。
【００９３】
図６を参照すると、フェムト基地局がＬＤＭで動作する場合、そして、フェムト基地局に現在設定されたＬＤＣが各周辺基地局のうち少なくとも一つに重なる場合、フェムト基地局は、アクティブモードに切り替え、スキャニング区間を設定し、これを各端末に知らせた後、各周辺基地局に対するスキャニングを開始することができる。すなわち、図６では、ＦＢＳ３のＬＤＣが自分のＬＤＣと重なるので、フェムト基地局（ｓｅｒｖｉｎｇ  ＦＢＳ）は、ＦＢＳ３のＬＤＣ開始前に予めスキャニング区間を設定し、ＦＢＳ３に対するスキャニングを行うことができる。その後、自分のＬＤＣ区間では、自分とＬＤＣ区間が重ならない周辺基地局（例えば、ＦＢＳ２）をスキャニングすることができる。
【００９４】
第２の実施例
各フェムト基地局は、本発明の一実施例で説明したように、自分の周辺の各基地局をスキャニングをする過程で自分の周辺基地局リストを作成又はアップデートすることによって、各端末に最新のネットワークトポロジー情報を提供することができる。
【００９５】
フェムト基地局は、マクロセルとは異なって、無線で周辺基地局を探知するので、探知された周辺基地局を自分の周辺として認めたり、或いは、所定基準を満足できない場合、周辺基地局リストに該当の基地局を追加するか、又は周辺基地局リストから該当の基地局を削除するための条件（ｔｒｉｇｇｅｒ  ｃｏｎｄｉｔｉｏｎ）も要求する。これは、端末がフェムト基地局のためのスキャニングを行う場合にも該当し得る。例えば、図２を参照して説明したように、端末がフェムト基地局に周辺ネットワークトポロジー情報の要請を受けた場合、端末は、スキャニングを開始するようになり、探知された周辺基地局のうちトリガー条件を満足する一部の基地局のみを該当のフェムト基地局に報告することができる。
【００９６】
したがって、本発明の他の実施例では、周辺基地局リストの更新／報告条件（ｔｒｉｇｇｅｒｉｎｇ  ｃｏｎｄｉｔｉｏｎ）を提案する。
【００９７】
下記の表２は、本発明の他の実施例に係るスキャニング遂行の要請を受けた端末の報告条件の一例を示す。
【００９８】
【表２】
0005576479.tif 000003
表２を参照すると、報告条件は、セルタイプ及びメトリックタイプにしたがって該当のメトリック値の所定絶対値に対する大きさに基づいて報告可否を決定することができる。
【００９９】
また、本実施例の他の様相によると、フェムト基地局が本発明の一実施例で説明した方法を通して自らスキャニングを行う場合、周辺基地局リストから特定基地局を削除する基準が提供される。
【０１００】
フェムト基地局が周辺基地局に対するスキャニングを行うとき、フェムト基地局は、周辺基地局リストに含まれた各周辺基地局に対するスキャンカウンター（以下、「レポート機会カウンター：Ｒｅｐｏｒｔ  Ｃｈａｎｃｅ  ｃｏｕｎｔｅｒ」と称する。）を運用することができる。このとき、フェムト基地局のスキャニング区間で特定周辺基地局のプリアンブルが受信されない場合、該当の周辺基地局に対するカウンターを０から１ずつ増加させる方法で既に設定されたしきい値に到逹したり、既に設定された値から１ずつ差し引く方法で０になる場合、該当の周辺基地局を周辺基地局リストから削除することができる。これを図７を参照して説明する。
【０１０１】
図７は、本発明の他の実施例に係る周辺基地局リストから特定周辺基地局が削除される手順の一例を示す。
【０１０２】
図７では、現在のフェムト基地局の周辺基地局リストにはＦＢＳ１とＦＢＳ２が含まれており、各周辺基地局のレポート機会カウンターは３から始まり、スキャニング区間でプリアンブルが検出されないときに１ずつ差し引かれ、０になると、周辺基地局リストから該当の周辺基地局が削除されると仮定する。
【０１０３】
上述した仮定下で、フェムト基地局は、周辺基地局リストを更新するために、スキャニング区間（ＵＴＩ）及びスキャニング区間の開始時点（ＵＳＴ）情報を含むＡＡＩ＿ＳＯＮ−ＡＤＶメッセージを放送することができる（Ｓ７０１）。
【０１０４】
その後、フェムト基地局は、スキャニング区間の開始とともにＦＢＳ１及びＦＢＳ２を含む周辺基地局に対するスキャニングを行うが、ＦＢＳ２のプリアンブル受信に失敗する（Ｓ７０２、Ｓ７０３）。
【０１０５】
その結果、フェムト基地局は、周辺基地局リストからＦＢＳ２に対するレポート機会カウントを１だけ削減する。
【０１０６】
その後、スキャニング周期が来ると、必要によって、フェムト基地局は、再びＡＡＩ＿ＳＯＮ−ＡＤＶメッセージを放送し、各端末に自分がスキャニングを行うことを知らせることができる（Ｓ７０４）。
【０１０７】
その後、フェムト基地局は、スキャニング区間の開始とともにＦＢＳ１及びＦＢＳ２を含む周辺基地局に対するスキャニングを行うが、ＦＢＳ２のプリアンブル受信に再び失敗する（Ｓ７０５、Ｓ７０６）。
【０１０８】
その結果、フェムト基地局は、周辺基地局リストからＦＢＳ２に対するレポート機会カウントを１だけ削減するようになる。結局、ＦＢＳ２に対するレポート機会カウントは０になり、ＦＢＳ２はフェムト基地局の周辺基地局リストから削除される。
【０１０９】
その後、フェムト基地局で周期的に放送する周辺基地局公示（ＡＡＩ＿ＮＢＲ−ＡＤＶ）メッセージには、ＦＢＳ１のみが含まれるようになる（Ｓ７０７）。
【０１１０】
端末及び基地局の構造
以下、本発明の他の実施例として、上述した本発明の各実施例を行える端末及び基地局（ＦＢＳ、ＭＢＳ）を説明する。
【０１１１】
端末は、アップリンクでは送信機として動作し、ダウンリンクでは受信機として動作することができる。また、基地局はアップリンクでは受信機として動作し、ダウンリンクでは送信機として動作することができる。すなわち、端末及び基地局は、情報又はデータの伝送のために送信機及び受信機を含むことができる。
【０１１２】
送信機及び受信機は、本発明の各実施例を行うためのプロセッサ、モジュール、部分及び／又は手段などを含むことができる。特に、送信機及び受信機は、メッセージを暗号化するためのモジュール（手段）、暗号化されたメッセージを解釈するためのモジュール、メッセージを送受信するためのアンテナなどを含むことができる。このような送信端と受信端の一例を、図８を参照して説明する。
【０１１３】
図８は、本発明の更に他の実施例として、送信端及び受信端構造の一例を示すブロック図である。
【０１１４】
図８を参照すると、左側は送信端の構造を示し、右側は受信端の構造を示す。送信端と受信端は、それぞれアンテナ５、１０、プロセッサ２０、３０、伝送モジュール（Ｔｘ  ｍｏｄｕｌｅ）４０、５０、受信モジュール（Ｒｘ  ｍｏｄｕｌｅ）６０、７０及びメモリ８０、９０を含むことができる。各構成要素は、互いに対応する機能を行うことができる。以下、各構成要素をより詳細に説明する。
【０１１５】
アンテナ５、１０は、伝送モジュール４０、５０で生成された信号を外部に伝送したり、外部から無線信号を受信して受信モジュール６０、７０に伝達する機能を行う。多重アンテナ（ＭＩＭＯ）機能がサポートされる場合は、２個以上備えることができる。
【０１１６】
アンテナ、伝送モジュール及び受信モジュールは、共に無線通信（ＲＦ）モジュールを構成することができる。
【０１１７】
通常、プロセッサ２０、３０は、移動端末機の全般的な動作を制御する。例えば、上述した本発明の各実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー機能、認証及び暗号化機能などを行うことができる。より具体的に、プロセッサ２０、３０は、上述したスキャニング手順を行うための全般的な制御を行うことができる。
【０１１８】
特に、フェムト基地局のプロセッサは、周辺基地局リストの更新のためにスキャニングの遂行可否を判断することができ、スキャニングを行うと判断した場合、スキャニング区間及び開始時点を決定し、これに関する情報をＡＡＩ＿ＳＯＮ−ＡＤＶメッセージに含ませてＲＦモジュールを通して放送することができる。
【０１１９】
その後、フェムト基地局のプロセッサは、スキャニング区間の開始時点が来ると、スキャニング区間の間、周辺基地局に対するスキャニングを該当の基地局のプリアンブルを探知及び受信する方法で行うことができる。
【０１２０】
フェムト基地局のプロセッサは、スキャニング結果によって周辺基地局リストの更新を行うことができ、更新された情報は、ＳＯＮサーバーに伝送したり、ＡＡＩ＿ＮＢＲ−ＡＤＶメッセージに含ませて放送することができる。
【０１２１】
一方、フェムト基地局のプロセッサは、スキャニング区間を設定するにおいて周辺の他のフェムト基地局のＬＤＭパターンを考慮し、ＵＡＩを避けるようにスキャニング区間を設定することができ、周辺基地局リストに含まれた特定基地局が所定回数探知されない場合、該当の基地局を周辺基地局リストから削除することもできる。
【０１２２】
上述したプロセッサの動作のより細部的な手順では、図３〜図７を参照して説明した各実施例に開示した動作過程の全般的な制御動作を行うことができる。
【０１２３】
伝送モジュール４０、５０は、プロセッサ２０、３０からスケジューリングされて外部に伝送されるデータに対して所定の符号化及び変調を行った後、これをアンテナ１０に伝達することができる。
【０１２４】
受信モジュール６０、７０は、外部からアンテナ５、１０を介して受信された無線信号に対する復号及び復調を行い、これを原本データの形態に復元してプロセッサ２０、３０に伝達することができる。
【０１２５】
メモリ８０、９０は、プロセッサ２０、３０の処理及び制御のためのプログラムを格納することもでき、入出力される各データ（例えば、スキャニング結果又は周辺基地局リスト）の臨時格納のための機能を行うこともできる。また、メモリ８０、９０は、フラッシュメモリタイプ、ハードディスクタイプ、マルチメディアカードマイクロタイプ、カードタイプのメモリ（例えば、ＳＤ又はＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの格納媒体を含むことができる。
【０１２６】
一方、基地局は、上述した本発明の各実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャンネル多重化機能、サービス特性及び電波環境によるＭＡＣフレーム可変制御機能、高速トラフィック実時間制御機能、ハンドオーバー機能、認証及び暗号化機能、データ伝送のためのパケット変復調機能、高速パケットチャンネルコーディング機能及び実時間モデム制御機能などを上述したモジュールのうち少なくとも一つを通して行ったり、このような機能を行うための別途の手段、モジュール又は部分などをさらに含むことができる。
【０１２７】
本発明は、本発明の精神及び必須的特徴を逸脱しない範囲で他の特定の形態に具体化することができる。したがって、上述した詳細な説明は、全ての面で制限的に解釈してはならなく、例示的なものとして考慮しなければならない。本発明の範囲は、添付の請求項の合理的な解釈によって決定しなければならなく、本発明の等価的範囲内での全ての変更は本発明の範囲に含まれる。また、特許請求の範囲で明示的な引用関係のない各請求項を結合して実施例を構成したり、出願後の補正によって新しい請求項を含ませることができる。
【産業上の利用可能性】
【０１２８】
本発明の各実施例は、多様な無線接続システムに適用することができる。多様な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の各実施例は、前記多様な無線接続システムのみならず、前記多様な無線接続システムを応用した全ての技術分野に適用可能である。
【図２】
0005576479.tif 000004
【図３】
0005576479.tif 000005
【図７】
0005576479.tif 000006
【図８】
0005576479.tif 000007
【図１】
0005576479.tif 000008
【図４】
0005576479.tif 000009
【図５】
0005576479.tif 000010
【図６】
0005576479.tif 000011